【事件の表示】
　特願２００４−２５４１５３「高圧発生装置」拒絶査定不服審判事件〔平成１８年　３月１６日出願公開、特開２００６−　６８６２０〕について、次のとおり審決する。
【結　論】
　本件審判の請求は、成り立たない。
【理　由】
１．手続の経緯 
　本願は、平成１６年９月１日の出願であって、平成２１年１１月２５日付けで拒絶理由が通知され、平成２２年１月２８日（受付日）付けで意見書及び手続補正書が提出され、平成２２年１０月７日付けで最後の拒絶理由が通知され、平成２２年１１月２６日（受付日）付けで意見書が提出され、平成２３年５月２７日付けで拒絶査定がなされた。
　これに対して、平成２３年８月３１日（受付日）付けで拒絶査定不服審判が請求されるとともに手続補正書が提出され、平成２３年１２月１５日付けで審尋が通知され、平成２４年２月１０日（受付日）付けで回答書が提出された。
　そして、当審において、平成２４年５月２９日付けで拒絶理由を通知したところ、平成２４年８月２日（受付日）付けで意見書及び手続補正書が提出されたものである。
　 
２．本願発明  
　平成２４年８月２日（受付日）付けの手続補正により補正された特許請求の範囲の請求項１に係る発明（以下、「本願発明」という。）は、以下のとおりのものである。  
「【請求項１】  
　対向配置された円柱状のアンビル間に荷重をかけて、該アンビル間に形成される圧力発生空間に高圧力を発生させる高圧発生装置において、  
　前記アンビルの頂部を略円錐台型に形成し、平面である該頂部の中央に側面が斜面に形成された凹部を設けるとともに、前記圧力発生空間の中心部に、内部に電気的測定のための試料を有する円筒状のカプセルを配置し、該カプセルの周りに該カプセルが入る空間を形成するようにドーナツ状であって試料に対する電気的配線を構成する金属性薄板及び絶縁性部材をそれぞれ２枚以上交互に積み重ねて配置したことを特徴とする高圧発生装置。」  
　 
３．刊行物の記載事項  
（１）刊行物１  
　本願の出願の日前に頒布された刊行物である、T.Nakanishi, N.Takeshita, and N.Mori, “A newly developed high-pressure cell by using modified Bridgman anvils for precice measurements in magnetic fields at low temperatures”, REVIEW OF SCIENTIFIC INSTRUMENTS, Vol.73, No.4, 1828-1831,(2002)（以下、「刊行物１」という。）には、図面とともに下記の事項が記載されている。  
ア．「In this article, we describe a new high-pressure cell designed for measuring the absolute value of the electrical resistivity in magnetic fields at low temperatures, which is, in principle, applicable to any sample. This pressure cell, based on a technique using modified Bridgman anvils with a Teflon capsule, can generate nearly hydrostatic pressure at least up to 6 GPa.」（1828頁右欄第２４〜３０行）  
（当審による和訳：「本稿では、任意のサンプルに適用される、低温、磁場中での電気抵抗率の絶対値を測定するために設計された新しい高圧発生装置を報告する。テフロンカプセルを入れた改良されたブリッジマンアンビルにより、この圧力発生装置は、少なくとも最大６GPaの静水圧を生成することができる。」　以降、括弧内は同様に当審による和訳。） 
　 
イ．「Because of this sample size, we can easily attach Au wires of φ20μm to the sample in order to measure the absolute value of the electrical resistivity by means of a four probe method. ・・・中略・・・ By using Au foils with a thickness of 25 μm, the Au wires from the sample are connected electrically to each stainless steels with thicknesses of 0.15 mm and also to the upper anvil.」（1829頁右欄第１〜１０行） 
（この試料のサイズのおかげで、我々は簡単に四探針法によって電気抵抗値の絶対値を測定するために試料に直径20マイクロメートルの金線を取り付けることができる。・・・中略・・・ 
　厚さ25マイクロメートルの金片を使用することにより、試料からの金線は0.15ミリメートルの厚さの各々のステンレス板に、及び上部アンビルに電気的に接続されている。） 
　 
ウ．図１には、高圧発生装置の側面図が示され、上から、ピストン、上部アンビル、テフロンカプセル、下部アンビルの順で配置され、ピストンの上方からピストンに向けて荷重が掛けられていることが記載されている。  
　図２には、試料が配置された空間の上面図と側面図が示され、項番の１として上部アンビル、２として下部アンビル、３としてステンレス板、４として金片、５として金線、６として試料、７としてテフロンカプセル、１０としてパイロフィライト、１１として接着剤、１２として導線が記載されている。
　また、図２には、
・上部アンビル１と下部アンビル２を円柱状としてテフロンカプセル７を挟んで互いに対向配置され、上部アンビルと下部アンビルの頂部を略円錐台型に形成するとともに、平面状の頂部の中央に凹部が形成されていること、
・４つのステンレス板３が接着剤１１を介して１枚の円板状に配置されていること、　　
・パイロフィライト１０と１枚の円板状に配置した４つのステンレス板３が積層されていること、
・パイロフィライト１０と１枚の円板状に配置した４つのステンレス板３の中心部に空間を形成し、その空間に試料を収容した円筒状のテフロンカプセルが配置されていること、　　
・ステンレス板３がテフロンカプセル内の試料と金片と金線を介して接続されていること、がそれぞれ記載されている。
　  
（２）刊行物２  
　本願の出願の日前に頒布された刊行物である英国特許第１３２５０４０号明細書（発明の名称：A HIGH TEMPERATURE HIGH PRESSURE APPARATUS（高温高圧装置）、以下、「刊行物２」という。）には、図面とともに下記の事項が記載されている。  
ア．「The apparatus comprises two dies 1 (Figure 1) having central recesses forming in combination a chamber, and a container 2 made of a material which is both heat and electrically insulating and that is plastic during the all-sided compression and contains a current-conducting reaction mixture 3.」（第２頁第６５〜７２行）  
（「この装置は、組み合わせてチャンバを形成する中央の凹部を有する２つのダイ１（図１）と、導電性反応混合物３を収容して、熱的及び電気的に絶縁性で両面圧縮時に可塑性の材料からなる容器２とで構成されている。」）  　  
イ．「The container 2 is made of lithographic stone.」(第２頁第９０〜９１行)  
（「容器２は石版石で作られている。」）  
　  
ウ．図１〜図４には、各ダイの凹部の中央の底部が円状で、その底部に連続する凹部の側面は斜面状に形成されていることが記載されている。また、図１〜図３には、２つのダイが接近していく状況が順に示され、２つのダイが容器２を上下から圧縮することにより、容器２の石版石は潰れて側方にずれ塑性変形することが記載されている。  
　  
（３）周知例１  
　本願の出願の日前に頒布された刊行物である特開平５−１４６６６３号公報（以下、「周知例１」という。）には、下記の事項が記載されている。  
「【０００１】  
【産業上の利用分野】本発明は超高圧高温反応法、特に出発物質を５ＧＰａ、１２００℃程度、あるいはそれ以上の超高圧・高温条件下に供して、ダイヤモンド、立方晶窒化硼素等の高圧相結晶の合成、単結晶育成、多結晶焼結体等を得る反応法に関する。  
【０００２】  
【従来の技術】これらの工程には、出発反応材料を包囲してこれに有効に圧力を伝達し、同時に熱及び電気の絶縁を行なう容器材料が必要とされている。容器材料として特に必要な要件としては、反応材料に有効に圧力を伝達し、静水圧性が良好なことに加えて、物理的、および化学的安定性が挙げられる。・・・中略・・・  
【０００３】このような材料として、従来からパイロフィライト、タルクといった天然鉱物、焼成ろう石、仮焼成マグネシア等の焼成材料、ホウケイ酸ガラス、マセライト（商品名）のようなガラスを基材とする複合材等が用いられている。」 
　  
（４）周知例２  
　本願の出願の日前に頒布された刊行物である特公昭４１−２１２７５号公報（以下、「周知例２」という。）には、図面とともに下記の事項が記載されている。  
ア．「第１図の実施例について説明すると、外周に補強体１，２を夫々嵌装した一対のアンビル３，４が上下に対向して配置してあり、この間には円筒状のガスケツト積層体５が挟装してある。このガスケツト積層体５は金属板５ａと、蝋（ワープロ変換しないため簡易慣用字体を表記）石板（パイロフイライト板）５ｂとを交互に重合したもので、上記金属板としては硬鋼、超硬質合金等を用いるとよい。上記ガスケツト積層体５の内周には超高圧下で流動化する環状の内張壁６が設けられて居り、この内側には被加圧物７、例えば滑石が充填してある。」（第１頁左欄下から３行〜右欄上から８行）  
　 
イ．「ガスケツト積層体５の内張壁６は高圧を受けて流動化し、被加圧物７に対して水平圧力を与え且つチツプ８，９の外周に水平補強圧を与える。」（第１頁右欄第２３〜２６行）      
　　
ウ．「次に、第３図の実施例について説明する。ここに示すアンビル２０３，２０４と、ガスケツト積層体２０５とは、その外径が同径であつて、これら外周を囲繞してシリンダ２１１が設けてあり、高圧下に於いて、ガスケツト積層体２０５が外周方向に流動するのを防止したもので、特に高い超高圧を発生させる場合に好適である。」（第２頁左欄第３〜９行）
　  
（５）周知例３  
　本願の出願の日前に頒布された刊行物である特開昭５６−１６３７４９号公報（以下、「周知例３」という。）には、図面とともに下記の事項が記載されている。  
ア．「第２図における圧力減衰体９はガスケツト材９ａと金属板９ｂとが同じ内外径を有し、それらを単純に積層してあるので、圧力減衰体９の内側面に金属板９ｂの側面が露出し、これと導電管４、４′及び電熱体５とを絶縁スリーブ１１、１２で絶縁する必要がある。」（第３頁左下欄第３〜８行） 　 
イ．「前記ガスケツト材９ａ，１３ａ，１４ａの材質は、一般に超高圧装置のガスケツト材として知られているものであれば何でも用いることができ、例えばパイロフイライト、タルク、粘土などや、これらの材料を含むセラミツク粉をセメントで固めたり焼結もしくは仮焼結したものが使用できる。」（第３頁右下欄第１１〜１６行）  
　  
ウ．「前に述べたようにガスケツト材は薄い程高い圧力を封止できるため、言い換えれば短い距離で高い圧力減衰をさせることができるため、本発明の圧力減衰体がガスケツト材を金属板で何層にも仕切つて薄くした状態の構造をとることによって、高圧室からシリンダー内壁垂直面２ｄまでの間で有効に圧力を減衰できることが理解される。・・・中略・・・また、シリンダー内壁垂直面２ｄへの伝達圧力を一定とすると、圧力減衰体を使用した超高圧装置は、それを使用しない超高圧装置より高い圧力を高圧室に発生できることが、第５図の曲線Ｐ及び曲線Ｐ″からわかる。」（第４頁左下欄第３〜２０行）  
　  
４．対比・判断  
　上記３．（１）の記載からみて、刊行物１には下記の発明が記載されている。  
「対向配置された円柱状のアンビル間に荷重をかけて、該アンビル間の試料が配置された空間に高圧力を発生させる高圧発生装置において、  
　前記アンビルの頂部を略円錐台型に形成するとともに、平面状の頂部の中央に凹部を設け、前記圧力発生空間の中心部に、内部に電気抵抗率の測定のための試料を有する円筒状のカプセルを配置し、該カプセルの周りに該カプセルが入る空間を形成するとともに、金片と金線を介して試料と接続されるステンレス板及びパイロフィライトを配置した高圧発生装置。」  
　  
　本願発明と、刊行物１に記載された発明を対比する。
　上記３．（３）の周知例１の記載によればパイロフィライトは電気絶縁材料であり、刊行物１に記載された発明の「パイロフィライト」は本願発明の「絶縁性部材」に相当する。
　また、刊行物１に記載された発明の「試料が配置された空間」は、上下のアンビルからの力により高圧の静水圧が掛けられる空間であるから、本願発明の「圧力発生空間」に相当し、刊行物１に記載された発明の「電気抵抗率の測定」は、本願発明の「電気的測定」に相当する。 
　さらに、刊行物１に記載された発明において、試料に取り付けられた金線は金片に接続され、金片はステンレスの薄板に接続されることにより、試料に通電して試料の電気抵抗値を四探針法により検出していることから、刊行物１に記載された発明の「金片と金線を介して試料と接続されるステンレス板」は、本願発明の「試料に対する電気的配線を構成する金属製薄板」に相当する。
　よって、本願発明と刊行物１に記載された発明は、「対向配置された円柱状のアンビル間に荷重をかけて、該アンビル間に形成される圧力発生空間に高圧力を発生させる高圧発生装置において、前記アンビルの頂部を略円錐台型に形成し、平面である該頂部の中央に凹部を設けるとともに、前記圧力発生空間の中心部に、内部に電気的測定のための試料を有する円筒状のカプセルを配置した高圧発生装置。」で一致し、下記の点で相違する。  
　  
・相違点１  
　本願発明のアンビルの平面である頂部の中央には、側面が斜面に形成された凹部が設けられているのに対し、刊行物１に記載された発明のアンビルの頂部の平面の中央には、凹部が形成されているものの、凹部の側面に斜面が形成されていない点。  
　  
・相違点２  
　本願発明が、カプセルの周りにカプセルが入る空間を形成するようにドーナツ状であって試料に対する電気的配線を構成する金属性薄板及び絶縁性部材をそれぞれ２枚以上交互に積み重ねて配置されているのに対し、刊行物１に記載された発明は、パイロフィライトと１枚の円板状に配置した４つのステンレス板が積層され、パイロフィライトと１枚の円板状に配置した４つのステンレス板の中心部に空間が形成され、その空間に試料を収容した円筒状のテフロンカプセルが配置されているものの、ドーナツ状の金属の薄板と絶縁性部材をそれぞれ２枚以上交互に積み重ねて配置されたものではない点。
　  
　そこで、上記相違点について検討する。  
・相違点１について  
　一般に、角部を含む面に応力がかかる場合、角部に応力が集中して角部から破壊が始まる恐れがあることは、機械装置設計の分野において技術常識であり、そのため、角部への応力集中を緩和して破損を防ぐために、角部の角度を広げて鈍角にしたり、角を取って丸みを帯びさせる対処法が従来より広く行われている。そして、刊行物１に記載された発明と同じく高圧を発生する装置に関する刊行物２には、ダイ中央の凹部の空間に高圧をかける反力で大きな応力のかかる凹部内面の形状を、凹部の側面を斜面として凹部の角部の角度を鈍角とした構造が記載されている。 
　高圧発生装置を設計する際に、高圧がかかることが想定されるアンビル頂部の凹部内面の破壊回避を図ることは、当業者が当然考慮する事項なのであり、このことは、刊行物１に記載された発明においても該当する。
　そうしてみると、刊行物１に記載された発明において、刊行物２に記載されている凹部の角部の角度を広げて鈍角にする構造を採用して、アンビル頂部の平面中央の凹部の側面を斜面とすることは、当業者が容易になし得たものである。  
　  
・相違点２について  
　被加圧物周囲に同じ内外径を有するドーナツ状の絶縁性のガスケットと金属の薄板を交互に積み重ねることにより、圧縮時の高い圧力を封止し、より高い圧力を発生させることを可能とすることは、上記周知例２及び周知例３に記載されているように、本願の出願時において周知の技術的事項である。　被加圧物に対してより高い圧力をかけられるようにすることは、高圧発生装置において一般的な課題であり、このことは、刊行物１に記載された発明においても同様に認識できる課題である。
　したがって、この課題の解決のために、刊行物１に記載された発明の試料への通電路を構成するステンレス板と絶縁性部材としてのパイロフィライトの積層構造を、上記周知の技術的事項のように、ドーナツ状の金属の薄板と絶縁性部材をそれぞれ２枚以上交互に積み重ねた構造とすることは、当業者が容易になし得たものである。  
　
　そして、請求項１に係る発明により奏される効果は、刊行物１に記載された発明及び刊行物２に記載された事項並びに周知の技術的事項から容易に予測できるものである。
　 
５．むすび 
　したがって、請求項１に係る発明は、刊行物１に記載された発明、刊行物２に記載された事項及び周知の技術的事項に基いて、当業者が容易に発明をすることができたものであり、特許法第２９条第２項の規定により特許を受けることができない。　
　よって、結論のとおり審決する。